(57)【要約】【課題】  本発明は、リモコン装置に配設されたマイクを集音の対象物に向けるに際し、リモコンケーブルおよびヘッドホンケーブルに邪魔されることがないオーディオシステムを提供することを課題とする。【解決手段】  リモコン装置２は、略直方体形状であり、長手方向の一端部側にマイク２３が配設され、他端部にリモコンケーブル４およびヘッドホンケーブル５が接続されている。すなわち、リモコン装置２において、リモコンケーブル４およびヘッドホンケーブル５の接続箇所は、マイク２３が配設されている端部の反対側端部に集約されている。【選択図】        図１
2006081015.tif 000002
【特許請求の範囲】
【請求項１】
携帯機器とリモコン装置とがリモコンケーブルで、前記リモコン装置とヘッドホンとがヘッドホンケーブルでそれぞれ接続されているオーディオシステムであって、
前記リモコン装置の一端部側にマイクが配設されていると共に、
前記リモコン装置の前記マイクが配設されている一端部の反対側端部に前記リモコンケーブルおよび前記ヘッドホンケーブルの接続箇所が集約されていることを特徴とするオーディオシステム。
【請求項２】
前記リモコン装置は、略直方体形状であり、
前記マイクは、前記リモコン装置の長手方向の一端部側に配設されていることを特徴とする請求項１記載のオーディオシステム。
【請求項３】
前記リモコンケーブルに取り付けられ、前記ヘッドホンケーブルの任意の位置と前記リモコンケーブルとを接続する接続具を具備し、
前記接続具によって前記リモコンケーブルと前記ヘッドホンケーブルとを接続することにより、前記リモコンケーブルおよび前記ヘッドホンケーブルによるループが形成可能であることを特徴とする請求項１又は２記載のオーディオシステム。
【発明の詳細な説明】
【技術分野】
【０００１】
本発明は、携帯型ＭＤプレーヤや携帯型ハードティスクプレーヤ等の携帯機器によって再生された音声信号をヘッドホンによって聴取するオーディオシステムに関し、特に携帯機器とヘッドホンとの間にリモコン装置が設けられているオーディオシステムに関する。
【背景技術】
【０００２】
携帯型ＭＤプレーヤや携帯型ハードティスクプレーヤ等の携帯機器とヘッドホンとの間に、携帯機器をコントロールするリモコン装置が設けられているオーディオシステムにおいて、リモコン装置にマイクを配設し、マイクを送話部、ヘッドホンを受話部として携帯電話機を機能させるものが提案されている（例えば、特許文献１参照）。
【０００３】
しかしながら、リモコン装置には、携帯機器と接続されるリモコンケーブルと、ヘッドホンと接続されるヘッドホンケーブルとが接続されているため、従来技術のように、リモコン装置にマイクを配設するのみでは、集音の対象物にマイクを向けるに際し、リモコンケーブルおよびヘッドホンケーブルが邪魔になってしまうという問題点があった。
【特許文献１】特開平５−９１５８４号公報
【発明の開示】
【発明が解決しようとする課題】
【０００４】
本発明は斯かる問題点に鑑みてなされたものであり、その目的とするところは、リモコン装置に配設されたマイクを集音の対象物に向けるに際し、リモコンケーブルおよびヘッドホンケーブルに邪魔されることがないオーディオシステムを提供する点にある。
【課題を解決するための手段】
【０００５】
本発明は上記課題を解決すべく、以下に掲げる構成とした。
本発明のオーディオシステムは、携帯機器とリモコン装置とがリモコンケーブルで、前記リモコン装置とヘッドホンとがヘッドホンケーブルでそれぞれ接続されているオーディオシステムであって、前記リモコン装置の一端部側にマイクが配設されていると共に、前記リモコン装置の前記マイクが配設されている一端部の反対側端部に前記リモコンケーブルおよび前記ヘッドホンケーブルの接続箇所が集約されていることを特徴とする。
【０００６】
さらに、本発明のオーディオシステムは、前記リモコン装置は、略直方体形状であり、前記マイクは、前記リモコン装置の長手方向の一端部側に配設されていることを特徴とする。
【０００７】
さらに、本発明のオーディオシステムは、前記リモコンケーブルに取り付けられ、前記ヘッドホンケーブルの任意の位置と前記リモコンケーブルとを接続する接続具を具備し、前記接続具によって前記リモコンケーブルと前記ヘッドホンケーブルとを接続することにより、前記リモコンケーブルおよび前記ヘッドホンケーブルによるループが形成可能であることを特徴とする。
【発明の効果】
【０００８】
本発明のオーディオシステムは、リモコン装置の一端部側にマイクを配設すると共に、リモコン装置のマイクが配設されている一端部の反対側端部にリモコンケーブルおよびヘッドホンケーブルの接続箇所を集約するように構成することにより、リモコン装置に配設されたマイクを集音の対象物に向けるに際し、リモコンケーブルおよびヘッドホンケーブルに邪魔されることがないという効果を奏する。
【発明を実施するための最良の形態】
【０００９】
以下、本発明の実施の形態を図面に基づいて詳細に説明する。
【００１０】
図１は、本発明に係るオーディオシステムの実施の形態の構成を示す構成図であり、図２は、図１に示すクリップの構成を示す図であり、図３は、本発明に係るオーディオシステムの実施の形態の使用例を説明するための説明図である。
【００１１】
本実施の形態のオーディオシステムは、図１を参照すると、音声信号を再生する携帯型ＭＤプレーヤや携帯型ハードティスクプレーヤ等の携帯機器１と、携帯機器１の動作を操作するリモコン装置２と、携帯機器１によって再生された音声信号を音声出力するヘッドホン３と、携帯機器１とリモコン装置２とを接続するリモコンケーブル４と、リモコン装置２とヘッドホン３とを接続するヘッドホンケーブル５と、リモコンケーブル４に環装されている接続具６とからなる。
【００１２】
携帯機器１は、ＭＤやハードティスク等の記録媒体に記録された音声データを音声信号として再生してリモコンケーブル４に出力する機能と、リモコンケーブル４から入力される音声信号を音声データとして記録媒体に記録する機能とを有し、リモコンケーブル４から入力されるコントロール信号によって再生動作および記録動作が制御されるように構成されている。
【００１３】
リモコン装置２は、各種案内が表示される液晶パネル等のディスプレイ２１と、携帯機器１の再生動作および記録動作を操作する操作ボタン２２と、入力された音声を音声信号に変換するマイク２３とからなり、操作ボタン２２の操作をコントロール信号としてリモコンケーブル４に出力すると共に、マイク２３によって変換された音声信号をリモコンケーブル４に出力する。
【００１４】
また、リモコン装置２は、略直方体形状であり、長手方向の一端部側にマイク２３が配設され、他端部にリモコンケーブル４およびヘッドホンケーブル５が接続されている。すなわち、リモコン装置２において、リモコンケーブル４およびヘッドホンケーブル５の接続箇所は、マイク２３が配設されている端部の反対側端部に集約されている。
【００１５】
接続具６は、図２（ａ）を参照すると、一対の挟み片６１と、一対の挟み片６１にそれぞれ形成されたと挟持部６２と、一対の挟み片６１にそれぞれ形成された挟持部６２が常時合わさる弾性を付勢するねじりバネ６３とからなり、図２（ｂ）に示すように、ねじりバネ６３がリモコンケーブル４に移動可能に環装されている。
【００１６】
本実施の形態のオーディオシステムは、図２（ｂ）に示すように、接続具６によってヘッドホンケーブル５を挟持することによって、リモコン装置２、リモコンケーブル４およびヘッドホンケーブル５を簡便にまとめることができる。すなわち、接続具６によってヘッドホンケーブル５を挟持すると、図１に示すように、リモコンケーブル４とヘッドホンケーブル５とが接続具６によって接続されてループが形成され、リモコンケーブル４およびヘッドホンケーブル５によって形成されたループを首にかけることにより、図３に示すように、リモコン装置２を首からぶら下げることができ、着用した服に関係なく、リモコン装置２、リモコンケーブル４およびヘッドホンケーブル５を簡便にまとめることができる。
【００１７】
リモコンケーブル４およびヘッドホンケーブル５によって形成されたループの大きさは、接続具６で挟持するヘッドホンケーブル５の位置や、リモコンケーブル４に環装された接続具６の位置を変更することによって、任意の大きさにすることができ、首からぶら下げたリモコン装置２を所望の箇所に配することができる。
【００１８】
また、ヘッドホンケーブル５は、ヘッドホンジャック５１によってリモコン装置２に接続されており、首からぶら下げたリモコン装置２が強く引かれた場合には、ヘッドホンジャック５１がリモコン装置２から外れるか、もしくは接続具６に挟持されているヘッドホンケーブル５が外れることにより、安全性が確保されている。
【００１９】
図３に示すようにリモコン装置２を首からぶら下げた状態で、リモコン装置２を手で持ってマイク２３を集音の対象物に向けるに際し、マイク２３が配設されている端部の反対側端部にリモコンケーブル４およびヘッドホンケーブル５の接続箇所が集約されているため、リモコンケーブル４およびヘッドホンケーブル５に邪魔されることがない。
【００２０】
接続具６の代わりに、図４に示すような、一対の挟み片６１の対向する面に弾性部材６４をそれぞれ設けた接続具７を用いて、弾性部材６４の弾性力によってヘッドホンケーブル５を挟持するようにしても良く、この場合には、接続具７によってヘッドホンケーブル５を挟持したままで、接続具７で挟持するヘッドホンケーブル５の位置を変更することができる。
【００２１】
以上説明したように、本実施の形態によれば、リモコン装置２の一端部側にマイク２３を配設すると共に、リモコン装置２のマイク２３が配設されている一端部の反対側端部にリモコンケーブル４およびヘッドホンケーブル５の接続箇所を集約するように構成することにより、リモコン装置２に配設されたマイク２３を集音の対象物に向けるに際し、リモコンケーブル４およびヘッドホンケーブル５に邪魔されることがないという効果を奏する。
【００２２】
なお、本実施の形態では、接続具６をリモコンケーブル４に移動可能に環装するように構成したが、接続具６をリモコンケーブル４の所定位置に固定して取り付けるようにしても良い。この場合には、リモコンケーブル４およびヘッドホンケーブル５によって形成されたループの大きさは、接続具６で挟持するヘッドホンケーブル５の位置によってのみ変更可能になる。
【００２３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２４】
【図１】本発明に係るオーディオシステムの実施の形態の構成を示す構成図である。
【図２】図１に示すクリップの構成を示す図である。
【図３】本発明に係るオーディオシステムの実施の形態の使用例を説明するための説明図である。
【図４】図１に示すクリップの他の実施の形態の構成を示す図である。
【符号の説明】
【００２５】
１  携帯機器
２  リモコン装置
３  ヘッドホン
４  リモコンケーブル
５  ヘッドホンケーブル
６、７  接続具
５１  ヘッドホンジャック
２１  ディスプレイ
２２  操作ボタン
２３  マイク
６１  挟み片
６２  挟持部
６３  ねじりバネ
６４  弾性部材
【図１】
2006081015.tif 000003
【図２】
2006081015.tif 000004
【図３】
2006081015.tif 000005
【図４】
2006081015.tif 000006